(57)【特許請求の範囲】
【請求項１】
建物の部屋の壁に沿うと共に、前記部屋の床との間に該部屋に開放された下方空間を有して箱状の収納本体が設けられ、
該収納本体は、少なくとも一方の側面を形成する側面部を備え、
該側面部から連続して下方へ延在し、その外側面が前記側面部の外側面と略面一とされた張出部が設けられており、
該張出部は、前記側面部の正面側下端から前記部屋の前記壁に向かって下方へ傾斜する縁を有する傾斜部と、下部の縁が略垂直となっている所定の奥行幅を有する垂直部とから成り、前記壁及び前記床に支持されていることを特徴とする収納構造。
【請求項２】
前記側面部と前記張出部とが連続して同一の仕上げとされていることを特徴とする請求項１に記載の収納構造。
【請求項３】
前記張出部の下部の縁が略垂直の部分の高さは、１５ｃｍ以上であることを特徴とする請求項１又は２に記載の収納構造。
【請求項４】
前記張出部の下部の奥行幅は、４０ｃｍ以上であり、この奥行幅以下の奥行を有する収納部が、前記側面部及び前記張出部と隣り合うように設けられていることを特徴とする請求項１乃至３のいずれか１項に記載の収納構造。
【請求項５】
前記収納本体の下面部が、前記側面部及び該側面部の前記部屋の反対側の壁に支持されていることを特徴とする請求項１乃至４のいずれか１項に記載の収納構造。
【請求項６】
前記側面部が前記部屋の天井に支持されていることを特徴とする請求項１乃至５のいずれか１項に記載の収納構造。
【発明の詳細な説明】
【技術分野】
【０００１】
本発明は、部屋に設置される収納構造に関するものである。
【背景技術】
【０００２】
従来から、部屋内の狭いスペースをより有効に利用することができるように、このような狭いスペースから成る部屋などに、収納構造として、吊押入を設置することがなされている（特許文献１等を参照）。
【０００３】
こうした従来の吊押入では、その下方も有効に利用できるように、下方空間が設けられている。
【０００４】
しかしながら、この下方空間は、吊押入の角部を支持する床柱が邪魔となるため、物を収納するスペースとしては利用できるものの、例えば、布団を敷いて、足先が位置する箇所などに利用したり、絨毯などの敷物を敷いたりするのは困難であった。
【０００５】
一方で、最近では、図４に例示したように、床柱をなくした吊押入ａなども実施されている。
【０００６】
こうした吊押入ａでは、床柱がないので、布団を敷いて、足先が位置する箇所などに利用したり、絨毯などの敷物を敷いたりするなど下方空間をより広く有効に利用することができる。
【先行技術文献】
【特許文献】
【０００７】
【特許文献１】実開昭６１−１５５５４４号公報
【発明の概要】
【発明が解決しようとする課題】
【０００８】
しかしながら、こうした従来の吊押入ａでは、床柱をなくしたことで、直角な角部ｂが突出し、疲れた人や子供などが誤ってこの直角な角部ｂにぶつかり怪我をしてしまう危険性があった。
【０００９】
また、吊押入ａを下方から支持できないので、天井等に相当の補強が必要となり、費用がかかる。
【００１０】
そこで、本発明は、下方空間を広く有効に利用することができることは勿論、人が角部にぶつかり怪我をしてしまう危険性を低減することができ、相当の補強も不要とできる収納構造を提供することを目的としている。
【課題を解決するための手段】
【００１１】
前記目的を達成するために、本発明の収納構造は、建物の部屋の壁に沿うと共に、前記部屋の床との間に該部屋に開放された下方空間を有して箱状の収納本体が設けられ、該収納本体は、少なくとも一方の側面を形成する側面部を備え、該側面部から連続して下方へ延在する張出部が設けられており、該張出部は、前記側面部の正面側下端から前記部屋の前記壁に向かって下方へ傾斜する縁を有するとともに、その外側面が前記側面部の外側面と略面一とされていることを特徴とする。
【００１２】
ここで、前記側面部と前記張出部とが連続して同一の仕上げとされているとよい。
【００１３】
また、前記張出部の下部は、縁が略垂直となっており、所定の奥行幅を有して前記床に支持されているとよい。
【００１４】
さらに、前記張出部の下部の縁が略垂直の部分の高さは、１５ｃｍ以上であるとよい。
【００１５】
また、前記張出部の下部の奥行幅は、４０ｃｍ以上であり、この奥行幅以下の奥行を有する収納部が、前記側面部及び前記張出部と隣り合うように設けられているとよい。
【００１６】
さらに、前記収納本体の下面部が、前記側面部及び該側面部の前記部屋の反対側の壁に支持されているとよい。
【００１７】
さらに、前記側面部が前記部屋の天井に支持されているとよい。
【発明の効果】
【００１８】
このような本発明の収納構造は、建物の部屋の壁に沿うと共に、部屋の床との間に部屋に開放された下方空間を有して箱状の収納本体が設けられ、収納本体は、少なくとも一方の側面を形成する側面部を備え、側面部から連続して下方へ延在する張出部が設けられている。
【００１９】
そして、張出部は、側面部の正面側下端から部屋の壁に向かって下方へ傾斜する縁を有するとともに、その外側面が側面部の外側面と略面一とされた構成とされている。
【００２０】
こうした構成なので、側面部の下側にある張出部は、側面部の正面側下端から部屋の壁に向かって下方へ傾斜する縁を有する形状をしているため、下方空間を広く有効に利用することができる。
【００２１】
そのうえ、側面部の角部が、張出部の存在により鈍角となるため、人がこの角部にぶつかり怪我をしてしまう危険性を低減することができる。
【００２２】
また、収納本体は張出部によって下方から支持されるので、天井等の補強を不要又は簡易にできる。
【００２３】
ここで、側面部と張出部とが連続して同一仕上げとされている場合は、側面部と張出部との間に継ぎ目が無いので、意匠的な美観を得ることができる。
【００２４】
また、張出部の下部は、縁が略垂直となっており、所定の奥行幅を有して床に支持されている場合は、部屋のその他の壁と床との境目と同様に、張出部と床との境目に幅木を設けることができる。
【００２５】
さらに、張出部の下部の縁が略垂直の部分の高さは、１５ｃｍ以上である場合は、張出部の傾斜した縁の下方に、絨毯などの敷物を敷くことができるのは勿論、やや厚めの布団を敷くこともできる。
【００２６】
また、張出部の下部の奥行幅は、４０ｃｍ以上であり、この奥行幅以下の奥行を有する収納部が、側面部及び張出部と隣り合うように設けられている場合は、例えば、この隣り合う収納部は、洋服入れなどに用いるのに適しており、側面部及び張出部と隣り合うスペースを有効に利用することができる。
【００２７】
さらに、収納本体の下面部が、側面部及び側面部の部屋の反対側の壁に支持されている場合は、下面部が、側面部の反対側の壁にも支持されるので、容易に必要な支持強度を有するようにすることができる。
【００２８】
また、側面部が部屋の天井に支持されている場合は、側面部が、天井にも支持されるので、より容易に必要な支持強度を有するようにすることができる。
【図面の簡単な説明】
【００２９】
【図１】実施例の収納構造としての吊押入を備えた部屋の概略構成を示す斜視図である。
【図２】実施例の収納構造としての吊押入の側面部及び張出部の部分を拡大して示す部分拡大図である。
【図３】実施例の収納構造としての吊押入を備えた部屋の使用状態の一例を示す説明図である。
【図４】従来の収納構造としての吊押入の一例を示す斜視図である。
【発明を実施するための形態】
【００３０】
以下、本発明を実施するための形態を、図面に示す実施例に基づいて説明する。
【実施例】
【００３１】
先ず、実施例の構成について説明する。
【００３２】
図１は、実施例の収納構造としての吊押入２を備えた部屋１の概略構成を示している。
【００３３】
この実施例の収納構造としての吊押入２は、図１に示したように、向かって左側の一方の側面を形成する側面部２１と、下面部２２と、張出部２３とから主に構成されている。側面部２１と張出部２３は、連続して壁紙が貼られ同一の仕上げとなっている。
【００３４】
ここで、側面部２１は、部屋１の背面の壁１１と天井１２とに支持されている。
【００３５】
また、下面部２２は、背面の壁１１と側面部２１と側面部２１が面する壁１３とは反対側の壁１４に支持されており、床１５との間に高さ６０ｃｍ奥行幅が８０ｃｍの部屋１に開放された下方空間３を形成している。
【００３６】
さらに、張出部２３は、外側面が略面一となるように側面部２１と連続して同一の仕上げとされており、側面部２１の正面側下端から背面の壁１１に向かって下方へ４５度の角度で傾斜する縁を有する傾斜部２３ａと、下部の縁が略垂直となっている垂直部２３ｂとから成り、背面の壁１１と床１５とに支持されている。
【００３７】
これにより、側面部２１の正面側下端と張出部２３の傾斜部２３ａの正面側上端とで形成される角部２ａが１３５度の鈍角となる。
【００３８】
そして、正面側に正面枠部２４が設けられるとともに、この正面枠部２４の内側に開き戸２５，２５が設けられている。
【００３９】
すなわち、側面部２１と下面部２２と壁１４と天井１２と正面枠部２４とで、吊押入２の上部構造体である収納本体としての箱状の吊押入本体２Ａが形成されている。
【００４０】
なお、開き戸２５，２５の周囲には、見切り枠材２５ａが設けられている。
【００４１】
また、側面部２１及び正面枠部２４と天井１２との境目には、側面部２１に面する壁１３やその反対側の壁１４と天井１２との境目と同様に、廻り縁４が設けられている。
【００４２】
さらに、張出部２３と床１５との境目には、背面の壁１１や側面部２１に面する壁１３やその反対側の壁１４と床１５との境目と同様に、幅木５が設けられている。
【００４３】
また、図２に拡大して示した張出部２３の下部の垂直部２３ｂは、奥行幅Ｌが４０ｃｍとされ、高さＨが１５ｃｍとされている。
【００４４】
さらに、図１に示したように、吊押入２に隣り合うように、収納部としての押入２０が設けられている。
【００４５】
この押入２０は、側面部２１及び張出部２３と側面部２１と面する壁１３と天井１２と床１５とに囲まれる部分に正面枠部２６が設けられ、この正面枠部２６の内側に開き戸２７，２７が設けられることにより形成されている。
【００４６】
この押入２０は、図２に二点鎖線でその正面位置を示したように、４０ｃｍの奥行幅を有する。
【００４７】
なお、開き戸２７，２７の周囲には、見切り枠材２７ａが設けられている。
【００４８】
次に、実施例の作用効果について説明する。
【００４９】
このような実施例の収納構造としての吊押入２は、建物の部屋１の背面の壁１１に沿うと共に、部屋１の床１５との間に部屋１に開放された下方空間３を有して箱状の収納本体としての吊押入本体２Ａが設けられ、吊押入本体２Ａは、一方の側面を形成する側面部２１を備え、側面部２１から連続して下方へ延在する張出部２３が設けられている。
【００５０】
そして、張出部２３は、側面部２１の正面側下端から部屋１の背面の壁１１に向かって下方へ傾斜する縁を有するとともに、その外側面が側面部２１の外側面と略面一とされた構成とされている。
【００５１】
こうした構成なので、側面部２１の下側にある張出部２３は、側面部２１の正面側下端から背面の壁１１に向かって下方へ傾斜する縁を有する形状をしているため、下方空間３を広く有効に利用することができ、特に、狭い部屋にとっては貴重なスペースとなる。
【００５２】
そのうえ、側面部２１の角部２ａが、張出部２３の存在により鈍角となるため、人がこの角部２ａにぶつかり怪我をしてしまう危険性を低減することができる。
【００５３】
また、収納本体としての吊押入本体２Ａは張出部２３によって下方から支持されるので、天井１２や背面の壁１１等の補強を不要又は簡易にできる。
【００５４】
ここで、側面部２１と張出部２３とは連続して同一の仕上げとされている。
【００５５】
このため、側面部２１と張出部２３との間に継ぎ目が無いので、意匠的な美観を得ることができる。
【００５６】
また、収納本体としての吊押入本体２Ａの下面部２２が、側面部２１及び側面部２１が面する壁１３とは反対側の壁１４に支持されている。
【００５７】
このため、下面部２２が、背面の壁１１や側面部２１だけでなく、側面部２１が面する壁１３とは反対側の壁１４にも支持されるので、容易に必要な支持強度を有するようにすることができる。
【００５８】
さらに、側面部２１が部屋１の天井１２に支持されている。
【００５９】
このため、側面部２１が、背面の壁１１だけでなく、天井１２にも支持されるので、より容易に必要な支持強度を有するようにすることができる。
【００６０】
また、張出部２３が部屋１の床１５に支持されている。
【００６１】
このため、さらにより容易に必要な支持強度を有するようにすることができる。
【００６２】
さらに、張出部２３の下部は、縁が略垂直の垂直部２３ｂとなっており、奥行幅Ｌを有する。
【００６３】
このため、部屋１のその他の壁１１，１３，１４と床１５との境目と同様に、張出部２３と床１５との境目に幅木５を設けることができる。
【００６４】
また、張出部２３の下部の縁が略垂直の垂直部２３ｂの高さＨは、１５ｃｍである。
【００６５】
このため、例えば、張出部２３の傾斜部２３ａの下方に、絨毯などの敷物を敷くことができる。
【００６６】
或いは、図３に示したように、この狭い部屋１で人が寝るために、やや厚めの布団を敷いても、十分対応することができる。
【００６７】
さらに、張出部２３の下部の垂直部２３ｂの奥行幅Ｌは、４０ｃｍであり、この奥行幅Ｌと同じ奥行を有する収納部としての押入２０が、側面部２１及び張出部２３と隣り合うように設けられている。
【００６８】
このため、例えば、この隣り合う押入２０は、洋服入れなどに用いるのに適しており、側面部２１及び張出部２３と隣り合うスペースを有効に利用することができる。
【００６９】
以上、図面を参照して、本発明を実施するための形態を実施例に基づいて詳述してきたが、具体的な構成は、この実施例に限らず、本発明の要旨を逸脱しない程度の設計的変更は、本発明に含まれる。
【００７０】
例えば、上記した実施例では、一方の側面を側面部２１で形成し、他方の側面は壁１４で形成して実施したが、これに限定されず、両側の側面を側面部２１で形成するようにして実施してもよい。
【００７１】
さらに、上記した実施例では、張出部２３は背面の壁１１と床１５とで支持されるようにして実施したが、これに限定されず、張出部２３を背面の壁１１だけで支持するようにして実施してもよい。
【００７２】
また、上記した実施例では、張出部２３の傾斜部２３ａの下向きに傾斜する縁の角度を４５度として実施したが、これに限定されず、角部２ａが鈍角となるように実施すればよい。
【００７３】
さらに、上記した実施例では、収納構造としての吊押入２の奥行幅を８０ｃｍとして実施したが、これに限定されず、収納構造として機能する奥行幅であればよい。
【００７４】
また、上記した実施例では、張出部２３の垂直部２３ｂの高さＨを１５ｃｍとして実施したが、これに限定されず、この高さＨを１５ｃｍ以上とすれば、絨毯などの敷物を敷いたり、布団を敷いたりするのに十分である。
【００７５】
さらに、上記した実施例では、張出部２３の垂直部２３ｂの奥行幅Ｌを４０ｃｍとして実施したが、これに限定されず、この奥行幅Ｌを４０ｃｍ以上とすれば、洋服入れなどに用いることができる隣り合う押入２０を設けるのに十分である。
【００７６】
また、上記した実施例では、収納本体としての吊押入本体２Ａの前面に正面枠部２４及び開き戸２５，２５を設けて実施したが、これに限定されず、開き戸２５，２５の代わりに引き戸を設けて実施してもよいし、正面枠部２４及び開き戸２５，２５を設けずに棚状にして実施してもよい。
【００７７】
さらに、上記した実施例では、収納部としての押入２０にも正面枠部２６及び開き戸２７，２７を設けて実施したが、これに限定されず、開き戸２７，２７の代わりに引き戸を設けて実施してもよいし、正面枠部２６及び開き戸２７，２７を設けずに棚状にして実施してもよい。
【符号の説明】
【００７８】
１      部屋
１１    壁
１２    天井
１３    壁
１４    壁
１５    床
２      吊押入（収納構造）
２Ａ    吊押入本体（収納本体）
２０    押入（収納部）
２ａ    角部
２１    側面部
２２    下面部
２３    張出部
２３ａ  傾斜部
２３ｂ  垂直部
２４    正面枠部
２５    開き戸
２５ａ  見切り枠材
２６    正面枠部
２７    開き戸
２７ａ  見切り枠材
３      下方空間
４      廻り縁
５      幅木
【図１】
0005876694.tif 000002
【図２】
0005876694.tif 000003
【図３】
0005876694.tif 000004
【図４】
0005876694.tif 000005